(57)【特許請求の範囲】
【請求項１】
自動販売機が取り扱う商品に関連した訴求情報が表示された表示体を、販売機本体の外扉上部に取り付けるための自動販売機用の訴求情報表示装置であって、
前記訴求情報表示装置を、
前記外扉の幅方向中央上部に配置される表示部材と、該外扉の幅方向端部に配置される側端部材とで構成し、
前記側端部材を、前記表示部材の幅方向端部に対して前記外扉の幅方向と一致する方向に向けて伸縮調節自在に連結し、
前記表示部材と前記側端部材との連結側端部間に装着される連結部カバーを備えるとともに、
前記連結部カバーを、
前記表示部材と前記側端部材との連結側端部間と対応する横幅で、該連結側端部間に露出された連結部の前面側が覆われる大きさ及び形状に形成した
自動販売機用の訴求情報表示装置。
【請求項２】
前記側端部材を、
前記表示部材の幅方向一端側に対して伸縮調節自在に連結した一端側部材と、該表示部材の幅方向他端側に対して伸縮調節自在に連結した他端側部材とで構成した
請求項１に記載の自動販売機用の訴求情報表示装置。
【請求項３】
前記表示部材前面に装着される前面カバーを備え、
前記前面カバーを、
前記表示部材の前面全体が覆われる大きさ及び形状に形成するとともに、
前記前面カバーの一端側及び／又は他端側を幅方向に延長して、前記連結側端部間に露出された連結部の前面側が覆われる大きさ及び形状に形成した
請求項１又は２に記載の自動販売機用の訴求情報表示装置。
【請求項４】
前記連結部カバーを、
前記外扉の横幅に応じて複数の間隔に拡縮される前記連結側端部間と対応する横幅に形成した複数の連結部カバーで構成した
請求項１に記載の自動販売機用の訴求情報表示装置。
【請求項５】
前記前面カバーを、
前記外扉の横幅に応じて複数の間隔に拡縮される前記連結側端部間と対応する長さ延長され、前記表示部材の前面全体と前記連結側端部間の連結部前面とが覆われる横幅に形成した複数の前面カバーで構成した
請求項３に記載の自動販売機用の訴求情報表示装置。
【発明の詳細な説明】
【技術分野】
【０００１】
この発明は、自動販売機が取り扱う商品の訴求力を高めるために用いられる自動販売機用の訴求情報表示装置に関する。
【背景技術】
【０００２】
昨今、例えば飲料や煙草等の商品を販売する自動販売機は、商品収納数や設置場所に応じて様々なサイズの機種が数多く設置されているが、自動販売機を製造するメーカーや機種によって、販売機本体及び外扉の横幅が異なるため、外扉の上部前面に取り付けられる化粧板も、外扉の横幅に対応して複数種製作しなければならず、製作コストが高くなる。また、外扉の横幅が異なる機種が増えるほど、化粧板の枚数も多くなるので、取り扱い及び管理が煩わしくなるという問題があった。
【０００３】
上述の化粧板を外扉前面に取り付ける方法として、例えば中央部側部材と、第１端部側部材と、第２端部側部材とからなる自動販売機用化粧板が提案されている（特許文献１参照）。この自動販売機用化粧板は、自動販売機の外扉の前面に着脱自在に取り付けられ、所定の幅方向の長さに形成され、外扉の上部幅方向中央に配置される中央部側部材と、中央部側部材の幅方向両端部に接続され、外扉の幅方向両端側に配置される端部側部材とから分割して構成している。
【０００４】
しかし、上述の自動販売機用化粧板は、第１端部側部材の上部幅方向端部に形成した延出部を、中央側部材の幅方向一端に形成した第１嵌合溝に嵌合する。同様に、第２端部側部材の上部幅方向端部に形成した延出部を、中央側部材の幅方向他端に形成した第２嵌合溝に嵌合して接続する構成である。
【０００５】
つまり、自動販売機用化粧板は、外扉の横幅と対応する長さに形成しているので、外扉の横幅が異なれば、その外扉の横幅と対応する長さの自動販売機用化粧板を製作しなければならず、横幅が異なる他の外扉には取り付けることが不可能である。そのため、自動販売機用化粧板を、横幅が異なる外扉に対応して複数種製作しなければならず、製作コストが高くなる。また、自動販売機用化粧板の組数も多くなるので、運搬に手間が掛かるだけでなく、取り扱い及び管理が煩わしくなる。
【先行技術文献】
【特許文献】
【０００６】
【特許文献１】特許第４５９２６５１号公報
【発明の概要】
【発明が解決しようとする課題】
【０００７】
この発明は、横幅が異なる全ての自動販売機の外扉に取り付けることができる自動販売機用の訴求情報表示装置を提供することを目的とする。
【課題を解決するための手段】
【０００８】
この発明は、自動販売機が取り扱う商品に関連した訴求情報が表示された表示体を、販売機本体の外扉上部に取り付けるための自動販売機用の訴求情報表示装置であって、前記訴求情報表示装置を、前記外扉の幅方向中央上部に配置される表示部材と、該外扉の幅方向端部に配置される側端部材とで構成し、前記側端部材を、前記表示部材の幅方向端部に対して前記外扉の幅方向と一致する方向に向けて伸縮調節自在に連結し、前記表示部材と前記側端部材との連結側端部間に装着される連結部カバーを備えるとともに、前記連結部カバーを、前記表示部材と前記側端部材との連結側端部間と対応する横幅で、該連結側端部間に露出された連結部の前面側が覆われる大きさ及び形状に形成した自動販売機用の訴求情報表示装置であることを特徴とする。
【０００９】
この発明によれば、訴求情報表示装置を、横幅が異なる全ての自動販売機の外扉に取り付けることができる。
【００１０】
詳述すると、表示部材と側端部材との連結側端部間を幅方向に拡縮して、訴求情報表示装置の幅方向全長を、例えば１０２０ｍｍ、１１６０ｍｍ、１１８０ｍｍ、１３２０ｍｍ、１３８０ｍｍ等の横幅寸法を有する自動販売機の外扉の横幅と対応する長さに伸縮調節するので、１種類の訴求情報表示装置を、横幅が異なる全ての自動販売機の外扉に取り付けることができる。
【００１１】
この結果、訴求情報表示装置を、横幅が異なる全ての自動販売機に対応して複数種製作する必要がなく、１種類の訴求情報表示装置を製作するだけで済むため、汎用性の向上及び製作コストの低減を図ることができる。  
また、訴求情報表示装置を最短長さに縮長調節すれば、複数の訴求情報表示装置１２０の幅方向Ａ全長を略同一長さに揃えることができるので、例えば梱包の統一化や小型化、運送費の削減、在庫管理、保管場所の確保等が向上する。
【００１２】
しかも、訴求情報表示装置の幅方向全長を自動販売機の外扉の横幅と対応する長さに伸縮調節した際、表示部材と側端部材との連結側端部間に露出された連結部を正面から見えないように覆い隠すことができる。
【００１３】
つまり、訴求情報表示装置の幅方向全長を外扉の横幅と対応する長さに伸縮調節した際、連結側端部間と対応する横幅に形成した連結部カバーを、表示部材と側端部材との連結側端部間に装着して、該表示部材と側端部材との連結側端部間を接続する。
【００１４】
これにより、表示部材と側端部材との連結部を正面から見えないように覆い隠すことができる。また、表示部材と側端部材との連結側端部間に生じる段差が解消され、該連結側端部の外面を連なる状態に接続することができる。 
この結果、表示部材及び側端部材の前面全体を、１つのカバーで覆ったような一体感あるいは意匠感を現出することができる。
【００１５】
この発明の態様として、前記側端部材を、前記表示部材の幅方向一端側に対して伸縮調節自在に連結した一端側部材と、該表示部材の幅方向他端側に対して伸縮調節自在に連結した他端側部材とで構成することができる。
【００１６】
この発明によれば、訴求情報表示装置の伸縮長さが幅方向に延長されるので、横幅が異なる全ての自動販売機の外扉に取り付けることができる。
【００１７】
詳述すると、表示部材と一端側部材の連結側端部間、表示部材と他端側端部材の連結側端部間を幅方向に拡縮して、訴求情報表示装置の幅方向全長を、横幅が異なる様々な自動販売機の外扉の横幅と対応する長さに伸縮調節する。
【００１８】
これにより、訴求情報表示装置の一端側あるいは他端側のいずれか一方を幅方向に伸縮するよりも、訴求情報表示装置の伸縮長さを幅方向に延長することができ、横幅が異なる全ての自動販売機の外扉に取り付けることができる。
【００１９】
この結果、１種類の訴求情報表示装置を、横幅が異なる全ての自動販売機の外扉の横幅と対応する長さに伸縮調節することができ、汎用性がさらに向上する。
【００２０】
また、この発明の態様として、前記表示部材前面に装着される前面カバーを、前記表示部材の前面全体が覆われる大きさ及び形状に形成するとともに、前記前面カバーの一端側及び／又は他端側を幅方向に延長して、前記連結側端部間に露出された前記連結部の前面側が覆われる大きさ及び形状に形成することができる。
【００２１】
この発明によれば、１つの前面カバーを表示部材前面に装着するだけで、該表示部材と側端部材との連結側端部間に露出された連結部を正面から見えないように覆い隠すことができる。
【００２２】
詳述すると、訴求情報表示装置の幅方向全長を外扉の横幅と対応する長さに伸縮調節した際、その伸縮調節によって拡縮された連結側端部間と対応する長さ延長した１つの前面カバーを中表示部材の前面が覆われるように装着して、該カバーの延長側端部にて表示部材と側端部材との連結側端部間に露出された連結部の前面側を覆い隠す。
【００２３】
これにより、１つのカバーを表示部材前面に装着するだけで、表示部材と側端部材との連結側端部間に露出された連結部を正面から見えないように覆い隠すことができる。  
この結果、表示部材の前面全体と、伸縮調節によって露出された連結側端部間の連結部前面とを、１つのカバーにて同時に覆うことができる。
【００２４】
また、表示部材と側端部材との連結側端部間に、該連結側端部間と対応する横幅のカバーを個々に装着するよりも、カバーの枚数が少なくて済み、取り扱い及び管理が容易となる。また、カバーの装着作業に要する時間が短くなるので、作業性の向上を図ることができる。
【００２５】
また、この発明の態様として、前記連結部カバーを、前記外扉の横幅に応じて複数の間隔に拡縮される前記連結側端部間と対応する横幅に形成した複数の連結部カバーで構成することができる。
【００２６】
この発明によれば、表示部材と側端部材との連結側端部間に、該連結側端部間と対応する横幅に形成した連結部カバーを装着するだけで、該連結側端部間に露出された連結部を正面から見えないように覆い隠すことができる。
【００２７】
詳述すると、訴求情報表示装置の幅方向全長を外扉の横幅と対応する長さに伸縮調節した際、上述の横幅寸法を有する自動販売機の外扉と対応して、横幅が異なる複数の連結部カバーの中から、表示部材と側端部材との連結側端部間と対応する横幅に形成した連結部カバーを１つ選択する。
【００２８】
その選択した連結部カバーを、表示部材と側端部材との連結側端部間に装着することにより、該連結側端部間に露出された連結部の前面側を覆い隠すことができる。
【００２９】
これにより、複数の中から選択した連結部カバーを表示部材と側端部材との連結側端部間に装着するだけで、該連結側端部間に露出された連結部を正面から見えないように覆い隠すことができる。また、表示部材と側端部材との連結側端部間に生じる段差が解消することができる。
【００３０】
この結果、表示部材の前面全体と、表示部材と側端部材との連結側端部間とを、１つのカバーで覆ったような一体感あるいは意匠感を現出することができる。
【００３１】
また、この発明の態様として、前記前面カバーを、前記外扉の横幅に応じて複数の間隔に拡縮される前記連結側端部間と対応する長さ延長され、前記表示部材の前面全体と前記連結側端部間の連結部前面とが覆われる横幅に形成した複数の前面カバーで構成することができる。
【００３２】
この発明によれば、複数の中から選択した１つの前面カバーを装着するだけで、表示部材と側端部材との連結側端部間に露出された連結部を正面から見えないように覆い隠すことができる。
【００３３】
詳述すると、訴求情報表示装置の幅方向全長を外扉の横幅と対応する長さに伸縮調節した際、上述の横幅寸法を有する自動販売機の外扉と対応して、横幅が異なる複数の前面カバーの中から、伸縮調節によって表示部材と側端部材との連結側端部間に露出された連結部の前面側が覆われる横幅に形成した前面カバーを１つ選択する。
【００３４】
その選択した前面カバーを、表示部材の前面全体が覆われるように装着するとともに、該前面カバーの延長側端部にて表示部材と側端部材との連結側端部間に露出された連結部の前面側を覆い隠す。
【００３５】
これにより、複数の中から選択した１つの前面カバーを表示部材前面に装着するだけで、表示部材と側端部材との連結側端部間に露出された連結部を正面から見えないように覆い隠すことができる。  
この結果、表示部材の前面全体と、表示部材と側端部材との連結側端部間に露出された連結部前面とを、１つの前面カバーにて同時に覆うことができる。
【００３６】
また、表示部材と側端部材との連結側端部間に、該連結側端部間と対応する横幅の連結部カバーを個々に装着するよりも、使用する全面カバーの枚数が少なくて済み、取り扱い及び管理が容易となる。また、前面カバーの装着作業に要する時間が短くなるので、作業性の向上を図ることができる。
【発明の効果】
【００３７】
この発明によれば、訴求情報表示装置を、横幅が異なる全ての自動販売機の外扉に取り付けることができ、汎用性の向上及び製作コストの低減が図れる。
【図面の簡単な説明】
【００３８】
【図１】本実施形態の訴求情報表示装置を自動販売機の正面図。
【図２】訴求情報表示装置を取り付けた外扉の上部背面図。
【図３】訴求情報表示装置を分離した状態の斜視正面図。
【図４】取付け板を外扉に取り付ける方法の斜視正面図。
【図５】表示部材と側端部材の連結方法の斜視正面図。
【図６】カバーを成形体に装着する方法の斜視正面図。
【図７】幅狭の連結部カバーを連結部に装着する方法の斜視正面図。
【図８】幅広の連結部カバーを連結部に装着する方法の斜視正面図。
【図９】係止孔及び係止爪によるカバーの上端側固定方法の拡大平面図。
【図１０】止めピンによるカバーの下端側固定方法の斜視図。
【図１１】止めピンを止め孔に挿入する直前の斜視図。
【図１２】止めピンを止め孔に挿入した直後の斜視図。
【図１３】止めピンを右方向又は左方向へ９０度回転した状態の斜視図。
【図１４】訴求情報表示装置の一端側を伸縮調節する方法の斜視正面図。
【図１５】連結部をカバーにて覆い隠した状態の斜視正面図。
【図１６】複数の装飾体を外扉前面に取り付けた状態の斜視正面図。
【発明を実施するための形態】
【００３９】
この発明の一実施形態を以下図面に基づいて詳述する。  
図１は本実施形態の訴求情報表示装置１２０を取り付けた自動販売機１００の正面図、図２は訴求情報表示装置１２０を取り付けた外扉１００ａの上部背面図である。
【００４０】
本実施形態の自動販売機用の訴求情報表示装置１２０は、図１に示すように、自動販売機１００における販売機本体１００ｂの前面側開口部に対して左右開閉自在に連結した外扉１００ａの上部前面に取り付けられる。また、外扉１００ａの上部前面に取り付ける際、訴求情報表示装置１２０の幅方向Ａ全長を、自動販売機１００の外扉１００ａの横幅と対応する長さに伸縮調節する。
【００４１】
自動販売機１００は、例えば缶型、瓶型、ボトル型、箱型、袋型等の商品を販売するものであり、略箱形状で内部に飲料などの商品を多数収納している前面側が開口された販売機本体１００ｂと、販売機本体１００ｂの前面と同じ大きさで前面側開口部を開閉する外扉１００ａとを備えている。
【００４２】
外扉１００ａの幅方向左端部は、販売機本体１００ｂの幅方向左端側（正面から見て左端）に対してヒンジ１０７にて左右開閉自在に連結している。  
また、外扉１００ａの上部前面には、自動販売機１００が取り扱う商品に酷似した商品見本と、該商品見本に対応する商品選択ボタンとを備えた商品展示部１０８を設けている。
【００４３】
さらに、商品展示部１０８より下方右側で、外扉１００ａの中央部右側前面には、紙幣を投入する紙幣投入口と、硬貨を投入する硬貨投入口と、カードを投入するガード投入口とを備えた精算部１０９と、外扉１００ａを閉状態に施錠するための施錠部１１０とを設けている。
【００４４】
商品展示部１０８より下方左側で、外扉１００ａの中央部左側前面には、上記商品に関連した広告情報が印刷されたポスターやパネル等の広告物を展示するための広告表示部１１１を設けている。
【００４５】
広告表示部１１１より下方で、外扉１００ａの下部左側前面には、購入した商品を取り出すための商品取出口１１２を設けている。また、その商品取出口１１２の右側前面には、お釣りの硬貨を返却するための硬貨返却口１１３を設けている。
【００４６】
次に、図３〜図１４を用いて、本実施形態の訴求情報表示装置１２０の構造について説明する。  
図３は訴求情報表示装置１２０を分離した状態の斜視正面図、図４は取付け板２１を外扉１００ａに取り付ける方法の斜視正面図、図５は表示部材１３０と側端部材１４０の連結方法の斜視正面図、図６は前面カバー２３を成形体２２に装着する方法の斜視正面図、図７は幅狭の連結部カバー１５０Ｖを連結部１４０Ｗに装着する方法の斜視正面図、図８は幅広の連結部カバー１５０Ｗを連結部１４０Ｗに装着する方法の斜視正面図、図９は係止孔２２ｄ及び係止爪２３ｂによる前面カバー２３の上端側固定方法の拡大平面図である。
【００４７】
訴求情報表示装置１２０は、外扉１００ａの幅方向中央上部に対して該外扉１００ａの幅方向Ａに配置される表示部材１３０と、該外扉１００ａの幅方向左右上部に配置される左右一対の側端部材１４０と、表示部材１３０と側端部材１４０との連結側端部間に装着される左右一対の連結部カバー１５０とで構成している。  
また、左右の側端部材１４０は、表示部材１３０の幅方向両端部に対して前記外扉１００ａの幅方向Ａと一致する方向に向けて伸縮調節自在に連結している。
【００４８】
表示部材１３０は、外扉１００ａの上部平面と上部前面とで直角を成す前側上部角隅部に沿って該外扉１００ａの幅方向Ａに取り付けられる取付け板２１と、取付け板２１の前面を覆うように取り付けられる成形体２２と、成形体２２の上面及び前面、下面を覆うように取り付けられる前面カバー２３と、成形体２２の前面に取り付けられるロゴ表示体３０及び広告表示体４０とで構成している。
【００４９】
なお、成形体２２と、前面カバー２３と、ロゴ表示体３０と、広告表示体４０は、例えばポリアセタール、ポリプロピレン、ポリエチレン、ポリエステル、ポリカーボネード、アクリル等のプラスチックにて形成している。
【００５０】
側端部材１４０は、上述した前面カバー２３の連結側端部外面と連なる外観形状に形成した断面矩形の側端部１４０Ｖと、該側端部１４０Ｖの連結側端部に形成され幅方向Ａに突出する断面コ字状の連結部１４０Ｗとで構成している。
【００５１】
側端部１４０Ｖの連結側端部は、上述した前面カバー２３の連結側端部と連なる大きさ及び形状に形成している。例えば前面カバー２３の外観形状が滑らかな曲面であれば、側端部１４０Ｖの外観形状も滑らかな曲面に形成する。
【００５２】
また、側端部材１４０の連結側端部には、取付け板２１と成形体２２との対向面間に対して挿入される連結部１４０Ｗを連設している。
【００５３】
連結部１４０Ｗは、側端部１４０Ｖの連結側端部上縁に対して水平に連設した上側板部１４０ａと、上側板部１４０ａの前側縁部に対して垂直に連設した前側板部１４０ｂと、上側板部１４０ａの後側縁部に対して垂直に連設した後側板部１４０ｃとで構成している。
【００５４】
また、板部１４０ａ〜１４０ｃは、上述した取付け板２１前面と成形体２２後面との間に形成された図示しない空間部に対して挿入が許容される大きさ及び形状及び厚さに形成している。
【００５５】
連結部１４０Ｗの後側板部１４０ｃには、ネジ１６０の挿通が許容される丸形の孔部１４０ｄを上下に所定間隔を隔てて２個形成している。また、後側板部１４０ｃが厚み方向に重ね合わされる取付け板２１の起立板２１ｂの連結側両端部には、上述した丸孔１４０ｄ，１４０ｄと対応する上下間隔を隔てて、２本の長孔２１ｅを幅方向Ａと平行して形成している。
【００５６】
すなわち、連結部１４０Ｗの後側板部１４０ｃを、取付け板２１の起立板２１ｂに対して厚み方向に重ね合わせ、後側板部１４０ｃの孔部１４０ｄと起立板２１ｂの長孔２１ｅとを連通した後、ネジ１６０を、連結板１６２を介して孔部１４０ｄ及び長孔２１ｅに厚み方向に挿通し、ナット１６１を、孔部１４０ｄ及び長孔２１ｅに挿通したネジ１６０の突出側端部に螺合して、ネジ１６０及びナット１６１により幅方向Ａに対して伸縮調節自在に連結している。
【００５７】
上述のように表示部材１３０と側端部材１４０を連結した後、表示部材１３０の幅方向両端部に連結した左右一対の側端部材１４０を幅方向Ａに水平移動して、訴求情報表示装置１２０の幅方向Ａ全長を、例えば１０２０ｍｍ、１１６０ｍｍ、１１８０ｍｍ、１３２０ｍｍ、１３８０ｍｍ等の横幅を有する５種類の自動販売機１００の外扉１００ａの横幅と対応する長さに伸縮調節する。
【００５８】
この後、表示部材１３０と側端部材１４０とを、ネジ１６０及びナット１６１により締付け固定すれば、訴求情報表示装置１２０の幅方向Ａ全長を、自動販売機１００の外扉１００ａの横幅と対応する長さに固定することができる。
【００５９】
連結部カバー１５０は、例えば１０２０ｍｍ、１１６０ｍｍ、１１８０ｍｍ、１３２０ｍｍ、１３８０ｍｍ等の横幅を有する５種類の自動販売機１００の外扉１００ａと対応して、横幅が異なる５種類の連結部カバー１５０Ｖ，１５０Ｗ…で構成している。
【００６０】
連結部カバー１５０Ｖ，１５０Ｗ…は、横幅が異なる自動販売機１００の外扉１００ａと対応して、該外扉１００ａの幅方向Ａに拡縮される表示部材１３０と側端部材１４０との連結側端部間と対応する横幅に形成している。また、連結側端部間に露出された連結部１４０Ｗの上下面及び前面が覆われる大きさ及び形状で、かつ、幅方向Ａから見て略断面Ｃ形状に形成している。
【００６１】
また、連結部カバー１５０Ｖ，１５０Ｗ…の上面側後端部と下面側後端部には、連結部１４０Ｗの上面側後縁部と下面側後縁部に係止される爪部１５０ａ，１５０ａをそれぞれ形成している。
【００６２】
表示部材１３０の取付け板２１は、図３、図４に示すように、外扉１００ａの前側上部角隅部に対して上部平面に沿って水平載置される金属製の載置板２１ａと、該載置板２１ａの後端側を上方に向けて垂直に折り曲げて形成した起立板２１ｂと、該載置板２１ａの前端側を下方に向けて垂直に折り曲げて形成した垂下板２１ｃとで構成している。
【００６３】
垂下板２１ｃの下端側中央部には、展示部４の前側上縁部に形成した係止孔４ａと対応して、該係止孔４ａに対して係止される係止爪２１ｄを形成している。また、起立板２１ｂの後面側下端部には、後述する取付け金具２４を長手方向に対して所定間隔を隔てて取り付け可能に設けている（図２参照）。
【００６４】
起立板２１ｂの上端側前縁部には、後述する成形体２２の上端側後縁部を固定するための止め具２６を取り付け可能に設けている。また、垂下板２１ｃの下端側前縁部には、後述する成形体２２の下端側後縁部を固定するための止め具２６を取り付け可能に設けている（図５参照）。
【００６５】
上述の取付け板２１を外扉１００ａに固定する場合、垂下板２１ｃの係止爪２１ｄを展示部４の係止孔４ａに係止して、載置板２１ａを外扉１００ａの前側上部平面に水平載置する。また、起立板２１ｂを、外扉１００ａの後側上部角隅部に固定した後述する取付け金具２４の起立片２４ｂに対してネジ２５にて固定する。
【００６６】
取付け金具２４は、外扉１００ａの後側上部角隅部に対して上部平面に沿って水平載置される水平片２４ａと、水平片２４ａの後端側を上方に向けて垂直に折り曲げて形成した起立片２４ｂと、水平片２４ａの前端側を下方に向けて垂直に折り曲げて形成した垂下片２４ｃとで構成している（図２、図４参照）。
【００６７】
取付け金具２４の水平片２４ａは、外扉１００ａの後側上部角隅部の上部平面に水平載置する。また、起立片２４ｂは、外扉１００ａの前側上部角隅部の上部平面に載置した取付け板２１の起立板２１ｂに対してネジ２５にて固定する。また、垂下片２４ｃは、外扉１００ａの後側上部角隅部の上部背面に対してネジ２５にて固定する。
【００６８】
成形体２２は、図３、図５に示すように、取付け板２１の前面全体（前面及び上下面、両側面）を覆う大きさ及び形状に正面から見て略矩形に形成している。また、成形体２２の前面側中央部には、後述するロゴ表示体３０と広告表示体４０を重ね合わせたまま収容が許容される凹状の収容部２２ａを形成している。
【００６９】
収容部２２ａは、ロゴ表示体３０と広告表示体４０を重ね合わせたまま収容が許容される大きさ及び形状、深さに、該成形体２２の前面に沿って長さ方向に形成している。また、収容部２２ａの両側前面には、ロゴ表示体３０の両側縁部に形成した係止溝３０ａと対応して、広告表示体４０の両側縁部に連設した係止片４０ａの差し込みが許容される凹状の受け部２２ａＺを形成している。
【００７０】
収容部２２ａの上側縁部と両側縁部からなる前側周縁部には、柔軟性を有する合成ゴム製のパッキン２２ｂを、後述する前面カバー２３の窓部２３ａの上側縁部と両側縁部からなる内側周縁部と対向して取り付けている。また、収容部２２ａの下側縁部と対応するパッキン２２ｂの下側縁部間には、該収容部２２ａの内部と外部を連通する通路２２ｃを形成している。
【００７１】
成形体２２の上端側後縁部は、前記取付け板２１の起立板２１ｂの上端側前縁部を覆う大きさ及び形状に形成している。また、成形体２２の上端側後縁部には、後述する前面カバー２３の係止爪２３ｂが後方より係止される係止孔２２ｄを長手方向に対して所定間隔を隔てて形成している。さらにまた、係止孔２２ｄは、成形体２２の上端側後縁部を上方に向けて凸状に変形して形成している（図７〜図９参照）。
【００７２】
成形体２２の下端側後縁部は、前記取付け板２１の垂下板２１ｃの下端側前縁部を覆う大きさ及び形状に形成している。また、成形体２２の下端側後縁部には、後述する止めピン２７が抜止めされる丸形状の止め孔２２ｅを形成している。
【００７３】
止め孔２２ｅは、後述する止めピン２７の上側部材２８の上端側係止部２８ｂよりも大径に形成され、該係止部２８ｂが垂直方向に対して挿入が許容される大きさ及び形状に形成している。また、止め孔２２ｅの対向縁部には、係止部２８ｂの対向外周面に突出した一対の突出片２８ｃの通過が許容される溝部２２ｆを形成している（図１１参照）。  
また、止め孔２２ｅの上面側対向縁部には、突出片２８ｃの先端側下面に突出した凸部２８ｄが係合される凹部２２ｇを形成している。
【００７４】
上述の成形体２２を取付け板２１に固定する場合、成形体２２の上端側後縁部を、外扉１００ａに取り付けた取付け板２１の起立板２１ｂの上端側前縁部に重ね合わせて止め具２６で固定する。また、成形体２２の下端側後縁部を取付け板２１の垂下板２１ｃの下端側前縁部に重ね合わせて止め具２６で固定する。
【００７５】
上述のロゴ表示体３０と広告表示体４０は、収容部２２ａよりも一回り小さく、該収容部２２ａに対して収容が許容される大きさ及び形状に形成している。また、ロゴ表示体３０の前面には、ロゴ情報の一例として「○○Ｄｒｉｎｋ」を表示している。また、広告表示体４０の前面には、広告情報の一例として「△△Ｃｏｆｆｅｅ」を表示している。
【００７６】
なお、収容部２２ａには、プレート状のロゴ表示体３０を、ロゴ情報の一例である「○○Ｄｒｉｎｋ」が印刷された表面を外扉１００ａの前面と対応する方向に向けて、例えば両面粘着テープ、接着剤、ネジ等の固定手段にて固定している。
【００７７】
前面カバー２３は、図３、図６に示すように、成形体２２の前面全体（前面及び上下面、両側面）を覆う大きさ及び形状に前面から見て略矩形に形成している。また、前面カバー２３の前面側中央部には、成形体２２の収容部２２ａと対応して該収容部２２ａに収容されたロゴ表示体３０のロゴ情報或いは広告表示体４０の広告情報の読み取りが許容される透明な窓部２３ａを形成している。
【００７８】
前面カバー２３の上端側後縁部には、前記成形体２２の係止孔２２ｄに対して後方より係止される係止爪２３ｂを幅方向Ａに対して所定間隔を隔てて形成している（図７〜図９参照）。また、前面カバー２３の下端側後縁部には、成形体２２の止め孔２２ｅに対して係止される止めピン２７を取り付けている（図１０、図１１参照）。
【００７９】
止め具２６は、取付け板２１と成形体２２の上端側対向縁部及び下端側対向縁部に形成した孔部に挿通される下側部材２６ａと、孔部に挿通される下側部材２６ａを孔部よりも大径に拡張する上側部材２６ｂとで構成している（図５参照）。
【００８０】
上述の止め具２６を用いて、成形体２２を取付け板２１に取り付ける場合、下側部材２６ａを、取付け板２１と成形体２２の上端側対向縁部及び下端側対向縁部に形成した孔部に挿通する。
【００８１】
次に、上側部材２６ｂを、下側部材２６ａの軸中心部に形成された挿入孔（図示せず）に圧入し、下側部材２６ａの先端部を孔部よりも大径に拡張して抜止めする。  
これにより、取付け板２１と成形体２２の上端側対向縁部及び下端側対向縁部を固定することができる。
【００８２】
次に、図１０〜図１３を用いて、上述した止めピン２７の構造について説明する。図１０は止めピン２７による前面カバー２３の下端側固定方法の斜視図、図１１は止めピン２７を止め孔２２ｅに挿入する直前の斜視図、図１２は止めピン２７を止め孔２２ｅに挿入した直後の斜視図、図１３は止めピン２７を右方向又は左方向へ９０度回転した状態の斜視図である。
【００８３】
止めピン２７は、前面カバー２３の下端側後縁部に形成した保持孔２３ｃを介して互いに連結される上側部材２８と下側部材２９とで構成している。  
上側部材２８は、前記止め孔２２ｅに対して挿入が許容される外径寸法に形成した中空の軸部２８ａと、軸部２８ａの上端側に形成した前記止め孔２２ｅよりも小径の係止部２８ｂとで構成している。
【００８４】
係止部２８ｂの対向外周面には、一対の突出片２８ｃを、前記止め孔２２ｅの溝部２２ｆと対応して径方向に向けて突出している。また、突出片２８ｃは、止め孔２２ｅの上面側周縁部に対して係止される長さに形成している。さらにまた、突出片２８ｃの先端側下面には、凹部２２ｇに対して係合される凸部２８ｄを形成している。
【００８５】
下側部材２９は、上側部材２８の軸部２８ａに対して軸方向に抜止め固定される爪付きの軸部２９ａと、軸部２９ａの下端側に形成した前記止め孔２２ｅよりも大径の回動操作部２９ｂとで構成している。
【００８６】
上述の止めピン２７は、前面カバー２３の保持孔２３ｃを介して、上側部材２８の軸部２８ａに対して下側部材２９の軸部２９ａを下方から差込んで一体的に組み付ける。また、上側部材２８の突出片２８ｃを、前記保持孔２３ｃよりも上方に突出し、下側部材２９の回動操作部２９ｂを、前記保持孔２３ｃよりも上方に突出した状態に組み付ける。  
これにより、止めピン２７を、前面カバー２３の保持孔２３ｃに対して上下動可能で、かつ、軸芯回りに水平回転可能に取り付けられる（図１１、図１２参照）。
【００８７】
上述の前面カバー２３を、成形体２２の上面、前面、下面を覆うように取り付ける場合、前面カバー２３に取り付けた止めピン２７を、成形体２２に形成した止め孔２２ｅと対向させる。この後、止めピン２７を、図示しない開閉治具により軸芯回りに回動操作して、上側部材２８の突出片２８ｃを止め孔２２ｅの溝部２２ｆに対して挿入が許容される向き及び角度に回転停止する。  
このまま、止めピン２７を押し上げて、成形体２２の止め孔２２ｅに対して下方から垂直に挿入する（図１１、図１２参照）。
【００８８】
上側部材２８の突出片２８ｃを止め孔２２ｅよりも上方に突出した後、止めピン２７を軸芯回りに右方向又は左方向へ９０度回動操作して、上側部材２８の突出片２８ｃが止め孔２２ｅの上面側周縁部に対して係止される角度に回動する。
【００８９】
また、突出片２８ｃの凸部２８ｄを止め孔２２ｅの凹部２２ｇに係合して、上側部材２８の突出片２８ｃが止め孔２２ｅの溝部２２ｆに対して抜き取り不可となる向き及び角度に回転停止する（図１３参照）。  
これにより、成形体２２と前面カバー２３とが開放不可に固定され、前面カバー２３を、成形体２２の上面、前面、下面を覆うように取り付けることができる。
【００９０】
また、止めピン２７を右方向又は左方向へ９０度回動操作して、突出片２８ｃの凸部２８ｄを止め孔２２ｅの凹部２２ｇから抜け出させるとともに、上側部材２８の突出片２８ｃを止め孔２２ｅの溝部２２ｆに対して抜き取りが許容される向き及び角度に回転操作する（図１２参照）。
【００９１】
すると、止めピン２７が自重下降によって成形体２２の止め孔２２ｅから抜き取られ、上側部材２８の突出片２８ｃが止め孔２２ｅよりも下方に落下する。  
これにより、止めピン２７による固定が解除され、前面カバー２３を、成形体２２から簡単に取り外すことができる。
【００９２】
次に、訴求情報表示装置１２０を、自動販売機１００の外扉１００ａ上部に取り付ける方法を説明する。  
先ず、ネジ１６０及びナット１６１を緩め方向に回動操作して、表示部材１３０と左右一対の側端部材１４０との固定を解除した後、左右の側端部材１４０を幅方向Ａに水平移動して、訴求情報表示装置１２０の幅方向Ａ全長を、自動販売機１００の外扉１００ａの横幅と対応する長さに伸縮調節する(図６〜図８参照)。
【００９３】
左右の側端部材１４０を、外扉１００ａの幅方向左右上部に配置される位置に伸縮調節した後、ネジ１６０及びナット１６１を締付け方向に回動操作して、表示部材１３０と左右一対の側端部材１４０とを固定することにより、訴求情報表示装置１２０の幅方向Ａ全長を、自動販売機１００の外扉１００ａの横幅と対応する長さに固定する。
【００９４】
次に、上述のように伸縮調節した訴求情報表示装置１２０を外扉１００ａの上部前面に固定する場合、４枚の取付け金具２４を、外扉１００ａの後側中央上部角隅部及び後側左右上部角隅部に対して幅方向Ａに所定間隔を隔ててネジ２５にて予め固定しておく。
【００９５】
この後、訴求情報表示装置１２０の取付け板２１を外扉１００ａの前側上部平面に水平載置して、取付け板２１を、外扉１００ａの後側上部角隅部に配置した取付け金具２４に対してネジ２５にて固定する。
【００９６】
また、左右の側端部材１４０を外扉１００ａの幅方向左右上部に配置して、側端部材１４０の背面側を、外扉１００ａの後側左右上部角隅部に配置した取付け金具２４に対してネジ２５にて固定する(図２、図４参照)。
【００９７】
すなわち、訴求情報表示装置１２０を、自動販売機１００の外扉１００ａ上部に固定する際、表示部材１３０の幅方向左右端部と、該幅方向左右端部に連結した左右の側端部材１４０との連結側端部間を幅方向Ａに拡縮する。
【００９８】
訴求情報表示装置１２０の幅方向Ａ全長を、例えば１０２０ｍｍ、１１６０ｍｍ、１１８０ｍｍ、１３２０ｍｍ、１３８０ｍｍ等の横幅が異なる様々な自動販売機１００の外扉１００ａの横幅と対応する長さに伸縮調節するので、１種類の訴求情報表示装置１２０を、横幅が異なる全ての自動販売機１００の外扉１００ａに取り付けることができる(図１参照)。
【００９９】
つまり、訴求情報表示装置１２０の幅方向Ａ全長を、自動販売機１００の外扉１００ａの横幅と対応する長さに伸縮調節して該外扉１００ａの上部前面に取り付けるので、訴求情報表示装置１２０を、横幅が異なる全ての自動販売機１００に対応して複数種製作する必要がなく、１種類の訴求情報表示装置１２０を製作するだけで済むため、汎用性の向上及び製作コストの低減を図ることができる。
【０１００】
また、訴求情報表示装置１２０を最短長さに縮長調節すれば、訴求情報表示装置１２０の幅方向Ａ全長を略同一長さに揃えることができるので、例えば梱包の統一化や小型化、運送費の削減、在庫管理、保管場所の確保等が向上する。
【０１０１】
上述のように訴求情報表示装置１２０を伸縮調節した際、表示部材１３０と側端部材１４０との連結側端部間の間隔が狭ければ、該連結側端部間と対応する横幅に形成した幅狭の連結部カバー１５０Ｖを、該連結側端部間に露出された連結部１４０Ｗの前面側に装着する(図７参照)。
【０１０２】
また、表示部材１３０と側端部材１４０との連結側端部間の間隔が広ければ、該連結側端部間と対応する横幅に形成した幅広の連結部カバー１５０Ｗを、該連結側端部間に露出された連結部１４０Ｗの前面側に装着する装着する(図８参照)。
【０１０３】
なお、連結部カバー１５０Ｖ，１５０Ｗは、上下後端部の爪部１５０ａを連結部１４０Ｗの上下後縁部に係止して、連結部カバー１５０Ｖ，１５０Ｗを連結部１４０Ｗの前面側に取り付ける。  
この結果、表示部材１３０の連結側左右端部と、左右の側端部材１４０の連結側端部との間に露出された連結部１４０Ｗを正面から見えないように覆い隠すことができる。
【０１０４】
次に、図１４を用いて、訴求情報表示装置１２０の一端側を伸縮調節する他の例を説明する。図１４は訴求情報表示装置１２０の左側端部を伸縮調節する方法の斜視正面図である。
【０１０５】
詳述すると、表示部材１３０の一端側(左側端部)に連結した左側の側端部材１４０を幅方向Ａに水平移動させて、表示部材１３０と側端部材１４０との連結側端部間を幅方向Ａに拡縮することにより、訴求情報表示装置１２０の幅方向Ａ全長を、自動販売機１００の外扉１００ａの横幅と対応する長さに伸縮調節する。
【０１０６】
これにより、前記実施形態のように訴求情報表示装置１２０の左右両端を伸縮調節するのに比べて伸縮長さが短くなるも、１種類の訴求情報表示装置１２０を、横幅が異なる複数の自動販売機１００の外扉１００ａに取り付けることができる。
【０１０７】
したがって、前記実施形態と同様に、訴求情報表示装置１２０を、横幅が異なる全ての自動販売機１００に対応して複数種製作する必要がなく、１種類の訴求情報表示装置１２０を製作するだけで済むため、汎用性の向上及び製作コストの低減を図ることができる。
【０１０８】
訴求情報表示装置１２０を伸縮調節した際、表示部材１３０と側端部材１４０との連結側端部間の間隔が狭ければ、該連結側端部間に露出された連結部１４０Ｗの前面側に、該連結側端部間と対応する横幅に形成した幅狭の連結部カバー１５０Ｖを装着する。
【０１０９】
また、連結側端部間の間隔が広ければ、該連結側端部間と対応する横幅に形成した幅広の連結部カバー１５０Ｗを装着する。  
この結果、連結側端部間に露出された連結部１４０Ｗを正面から見えないように覆い隠すことができる。
【０１１０】
なお、上述の実施例では、左側の側端部材１４０を幅方向Ａに伸縮する例を説明したが、表示部材１３０の他端側(右側端部)に連結した右側の側端部材１４０を幅方向Ａに伸縮調節自在に設けてもよい。
【０１１１】
次に、図１５を用いて、訴求情報表示装置１２０の幅方向Ａ全長を外扉１００ａの横幅と対応する長さに伸縮調節した際、表示部材１３０の前面に装着される１つの前面カバー２３にて、表示部材１３０と側端部材１４０との連結側端部間に露出された連結部１４０Ｗを覆い隠す他の方法を説明する。  
図１５［ａ］［ｂ］は連結部１４０Ｗを前面カバー２３Ｖ，２３Ｗにて覆い隠した状態の斜視正面図である。
【０１１２】
前面カバー２３は、例えば１０２０ｍｍ、１１６０ｍｍ、１１８０ｍｍ、１３２０ｍｍ、１３８０ｍｍ等の横幅を有する５種類の自動販売機１００の外扉１００ａと対応して、横幅が異なる５種類の前面カバー２３Ｖ，２３Ｗ…で構成している。
【０１１３】
前面カバー２３Ｖ，２３Ｗ…は、表示部材１３０の前面全体が覆われる大きさ及び形状に形成するとともに、該前面カバー２３Ｖ，２３Ｗ…の左右両端を幅方向Ａに延長して、表示部材１３０と側端部材１４０との連結側端部間に露出された連結部１４０Ｗの前面側が覆われる大きさ及び形状に形成している。
【０１１４】
また、前面カバー２３Ｖ，２３Ｗ…の左右両端は、５種類の外扉１００ａの横幅と対応して、表示部材１３０と側端部材１４０との連結側端部間の間隔と対応する長さに延長している。
【０１１５】
詳述すると、訴求情報表示装置１２０の幅方向Ａ全長を、外扉１００ａの横幅と対応する長さに伸縮調節した際(図１５［ａ］［ｂ］参照)、横幅が異なる５種類の前面カバー２３Ｖ，２３Ｗ…の中から、伸縮調節によって表示部材１３０と側端部材１４０との連結側端部間に露出された連結部１４０Ｗの前面側が覆われる横幅に形成した前面カバー２３Ｖ，２３Ｗを１つ選択する。
【０１１６】
その前面カバー２３Ｖ，２３Ｗを、表示部材１３０の前面全体が覆われるように装着するとともに、該前面カバー２３Ｖ，２３Ｗの延長側左右端部にて表示部材１３０と側端部材１４０との連結側端部間に露出された連結部１４０Ｗの前面側を覆い隠す。
【０１１７】
これにより、訴求情報表示装置１２０の伸縮調節と対応して、５種類の中から選択した前面カバー２３Ｖ，２３Ｗを表示部材１３０前面に装着するだけで、表示部材１３０と側端部材１４０との連結側端部間に露出された連結部１４０Ｗを正面から見えないように覆い隠すことができる。
【０１１８】
この結果、表示部材１３０の前面全体と、表示部材１３０と側端部材１４０との連結側端部間に露出された連結部１４０Ｗ前面とを、１つの前面カバー２３にて同時に覆うことができる。
【０１１９】
また、表示部材１３０と側端部材１４０との連結側端部間に、該連結側端部間と対応する横幅の連結部カバーを個々に装着するよりも、使用する前面カバー２３の枚数が少なくて済み、取り扱い及び管理が容易となる。また、前面カバー２３の装着作業に要する時間が短くなるので、作業性の向上を図ることができる。
【０１２０】
次に、図１６を用いて、前記横幅が異なる全ての自動販売機１００の外扉１００ａに対して、前記実施形態の訴求情報表示装置１２０と、複数の装飾体１０３〜１０６とを取り付ける他の例を説明する。  
図１６は複数の装飾体１０３〜１０６を外扉１００ａの前面に取り付けた状態の斜視正面図である。
【０１２１】
上述の装飾体１０３〜１０６は、前記実施形態の訴求情報表示装置１２０の幅方向左端側下面に接続され、外扉１００ａの幅方向左端側前面に取り付けられる長尺側部装飾体１０３と、上端部装飾体１０２の幅方向右端側下面に接続され、外扉１００ａの幅方向右端側前面に取り付けられる短尺側部装飾体１０４と、商品展示部１０８と商品取出口１１２との間であって外扉１００ａの中央部前面に取り付けられる中央部装飾体１０５と、商品取出口１１２より下方で外扉１００ａの下部前面に取り付けられる下端部装飾体１０６とで構成している。
【０１２２】
訴求情報表示装置１２０を構成する左側の側端部材１４０の幅方向左端側前面には、長尺側部装飾体１０３の上端部と合致する大きさ及び形状の開口部１０２ｇを形成している。
【０１２３】
長尺側部装飾体１０３は、外扉１００ａの左端側前面よりも幅広（あるいは略同等幅）に形成され、商品展示部１０８の幅方向左端側前面の一部が覆われる幅に形成している。また、外扉１００ａの前面より前方に突出する凸状の横断面形状に形成し、外扉１００ａの上端から下端に至る縦方向と略同一長さに形成するとともに、上端側から下端側に向けて徐々に幅広となる滑らかな曲線にプラスチックにて形成している。
【０１２４】
短尺側部装飾体１０４は、外扉１００ａの右端側前面よりも幅広に形成され、商品展示部１０８の幅方向右端側前面の一部が覆われる幅に形成している。  
また、外扉１００ａの前面より前方に突出する凸状の横断面形状に形成し、商品展示部１０８の縦方向と略同一長さに形成するとともに、上端側から下端側に向けて同一幅にプラスチックにて形成している。
【０１２５】
中央部装飾体１０５は、商品展示部１０８と、精算部１０９と、施錠部１１０と、広告表示部１１１と、商品取出口１１２とを避けて、外扉１００ａの中央部前面（正面から見て左側に寄った中央部前面）に対して取り付けが許容される大きさ及び形状にプラスチックでプレート状に形成している。
【０１２６】
中央部装飾体１０５の上側縁部は、商品展示部１０８の下端側縁部と対応する横幅に形成している。また、中央部装飾体１０５の下側縁部は、商品取出口１１２の幅方向両端部よりも幅狭に形成している。また、中央部装飾体１０５の左右縁部は、上端側から下端側に向けて徐々に幅狭となる滑らかな曲線（正面から見て左寄りの曲線）に形成している。
【０１２７】
中央部装飾体１０５の右端側前面には、精算部１０９の前面全体の露出が許容され、精算部１０９の上下縁部と左側縁部とが取り囲まれる大きさ及び形状の右側開口部１０５ａを形成している。  
また、中央部装飾体１０５の左端側前面には、広告表示部１１１の前面全体の露出が許容され、該広告表示部１１１の上下縁部と右側縁部とが取り囲まれる大きさ及び形状の左側開口部１０５ｂを形成している。
【０１２８】
下端部装飾体１０６は、商品取出口１１２を避けて、外扉１００ａの下部前面（正面から見て左側に寄った下部前面）に対して取り付けが許容される大きさ及び形状にプラスチックでプレート状に形成している。
【０１２９】
下端部装飾体１０６の上側縁部は、中央部装飾体１０５の下側縁部と連続する横幅に形成している。また、下端部装飾体１０６の左右縁部は、上端側から下端側に向けて徐々に幅狭となる滑らかな曲線（正面から見て左寄りの曲線）に形成している。
【０１３０】
なお、長尺側部装飾体１０３及び短尺側部装飾体１０４の表面は、外扉１００ａの地色（例えば赤色）と対応する配色に着色している。また、短尺側部装飾体１０４の表面に、自動販売機１００が取り扱う商品の販売イメージと対応する例えば文字や絵、模様、自然の風景等を印刷するか、取り扱う商品に関連した広告情報を印刷してもよい。
【０１３１】
次に、横幅が異なる全ての自動販売機１００の外扉１００ａに対して、前記実施形態の訴求情報表示装置１２０と、装飾体１０３〜１０６とを組み合わせて取り付ける方法を説明する。  
先ず、訴求情報表示装置１２０の幅方向Ａ全長を、外扉１００ａの横幅と対応する長さに伸縮調節して該外扉１００ａの上部前面に取り付ける。
【０１３２】
次に、長尺側部装飾体１０３の背面側上部を、図示しない上部係止具を用いて外扉１００ａの上部外側天井面に係止する。また、長尺側部装飾体１０３の背面側下部を、図示しない下部係止具を用いて外扉１００ａの下部外側底面に係止する。
【０１３３】
これにより、長尺側部装飾体１０３を、商品展示部１０８の幅方向左端側前面の一部が覆われるとともに、外扉１００ａの左端側前面が覆われるように取り付ける。
【０１３４】
また、長尺側部装飾体１０３の上端部を、左側の側端部材１４０の開口部１０２ｇに挿入して、該長尺側部装飾体１０３を訴求情報表示装置１２０の幅方向左端側に対して連続するように配置する。
【０１３５】
次に、短尺側部装飾体１０４の左側縁部を、商品展示部１０８の前面側右側縁部に係止する。また、短尺側部装飾体１０４の右側縁部を、図示しない取付け金具を用いて外扉１００ａの右側縁部に係止する。
【０１３６】
これにより、短尺側部装飾体１０４を、商品展示部１０８の幅方向右端側前面の一部が覆われるとともに、外扉１００ａの右端側前面が覆われるように取り付ける。
【０１３７】
また、短尺側部装飾体１０４の上端部を、上端部装飾体１０２の幅方向右端側下面に近接あるいは当接して、上端部装飾体１０２の右端側に対して連続するように配置する。
【０１３８】
中央部装飾体１０５は、図示しない両面粘着テープを用いて商品展示部１０８と商品取出口１１２との間であって、外扉１００ａの中央部前面が覆われるように正面から貼着する。  
また、下端部装飾体１０６は、図示しない両面粘着テープを用いて商品取出口１１２より下方であって、外扉１００ａの下部前面が覆われるように正面から貼着する。
【０１３９】
中央部装飾体１０５の上側縁部を、長尺側部装飾体１０３と短尺側部装飾体１０４の間と対応する商品展示部１０８の下端側縁部に沿わせて、中央部装飾体１０５と下端部装飾体１０６とを、正面から見て右側上方から左側下方に向けて徐々に幅狭となる滑らかな曲線（正面から見て左寄りの曲線）に連続して配置する。
【０１４０】
これにより、商品展示部１０８より下方の外扉１００ａの中央部前面から下部前面の範囲に、正面から見て右上から左下に向けて徐々に幅狭となる滑らかな連続するデザインの左寄り曲線を現出することができる。
【０１４１】
つまり、外扉１００ａの横幅に応じて、長尺側部装飾体１０３と、短尺側部装飾体１０４と、中央部装飾体１０５と、下端部装飾体１０６とを所定の位置に配置するので、横幅が異なる全ての自動販売機１００の外扉１００ａに取り付けることができる。
【０１４２】
なお、長尺側部装飾体１０３の表面に、例えば地色（例えば赤色）と対比する白色のラインを、長尺側部装飾体１０３の上端側から下端側に向けて滑らかな曲線に印刷してもよい。  
また、長尺側部装飾体１０３に印刷したラインと連続して、白色に着色したパーツを左側の側端部材１４０の前面に装着してもよく、白色のラインを、長尺側部装飾体１０３の上端側から左側の側端部材１４０の上面側に連続して現出することができる。
【０１４３】
この発明の構成と、前記実施形態との対応において、  
この発明の表示体は、実施形態のロゴ表示体３０と、広告表示体４０に対応し、  
以下同様に、  
一端側部材は、左側の側端部材１３０に対応し、  
他端側部材は、右側の側端部材１３０に対応するも、  
この発明は、上述の実施形態の構成のみに限定されるものではなく、請求項に示される技術思想に基づいて応用することができ、多くの実施の形態を得ることができる。
【０１４４】
本実施形態では、左右の側端部材１４０を左右均等に伸縮調節する例を説明したが、左側あるいは右側の側端部材１４０のみを幅方向Ａに伸縮調節してもよい。  
また、連結部カバー１５０Ｖ，１５０Ｗに形成した上下爪部１５０ａを連結部１４０Ｗの上下後縁部に係止して、連結部カバー１５０Ｖ，１５０Ｗを連結部１４０Ｗの前面側に取り付けるが、例えば止め具２６やネジ、あるいは、両面粘着テープ、マグネット等の固定手段にて着脱可能に取り付けてもよい。
【０１４５】
また、側端部材１４０を、取付け金具２４及びネジ２５にて外扉１００ａの幅方向左右上部に固定するが、ネジ１６０及びナット１６１の締付け力にてこていしてもよい。他の固定方法として、例えば凸部と凹部とを互いに係合するか、ボールを窪み部に係合する等の位置規制手段によって複数の伸縮位置に規制してもよい。
【符号の説明】
【０１４６】
Ａ…幅方向
１００…自動販売機
１００ａ…外扉
１００ｂ…販売機本体
１２０…訴求情報表示装置
１３０…表示部材
１４０…側端部材
１４０ｄ…孔部
１４０Ｖ…側端部
１４０Ｗ…連結部
１５０，１５０Ｖ，１５０Ｗ…連結部カバー
１６０…ネジ
１６１…ナット
２１…取付け板
２１ｅ…長孔
２２…成形体
２２ｄ…係止孔
２３，２３Ｖ，２３Ｗ…前面カバー
２３ｂ…係止爪
２４…取付け金具
２６…止め具
２７…止めピン
３０…ロゴ表示体
４０…広告表示体
【図１】
0005911693.tif 000002
【図２】
0005911693.tif 000003
【図３】
0005911693.tif 000004
【図４】
0005911693.tif 000005
【図５】
0005911693.tif 000006
【図６】
0005911693.tif 000007
【図７】
0005911693.tif 000008
【図８】
0005911693.tif 000009
【図９】
0005911693.tif 000010
【図１０】
0005911693.tif 000011
【図１１】
0005911693.tif 000012
【図１２】
0005911693.tif 000013
【図１３】
0005911693.tif 000014
【図１４】
0005911693.tif 000015
【図１５】
0005911693.tif 000016
【図１６】
0005911693.tif 000017